(57)【要約】【課題】エアフィルタを長くせずに清掃が行なえる構造や、また、エアフィルタの清掃を行なうための新たな構造を備えるプロジェクタを提供すること。【解決手段】光源装置（光源ランプ３１）と、光源ランプ３１から射出された光束を画像情報に応じて変調して光学像を形成する光変調装置（液晶パネル３５）と、光学像を投写する投写光学装置（投写レンズ３９）と、これらを内部に収容し、外気を冷却用に内部に導入する吸気口６が形成された外装筐体５と、を有するプロジェクタ１であって、吸気口６から導入される外気に含まれる塵埃を除去し、シート状で回動可能にかけ渡されたエアフィルタ８１と、テープ状で外面側に粘着層を向け、ロール状に巻回された粘着部材８６と、を備え、粘着部材８６は、粘着層をエアフィルタ８１の表面に当接しながら巻取ることにより、エアフィルタ８１の表面に吸着した塵埃を粘着層に付着させる。【選択図】図２
2009217105.tif 000002
【特許請求の範囲】
【請求項１】
光源装置と、該光源装置から射出された光束を画像情報に応じて変調して光学像を形成する光変調装置と、前記光学像を投写する投写光学装置と、前記光源装置、前記光変調装置、および前記投写光学装置を内部に収容し、冷却用に外気を内部に導入する開口部が形成された外装筐体と、を有するプロジェクタであって、
前記開口部から導入される前記外気に含まれる塵埃を除去し、シート状で回動可能にかけ渡されたエアフィルタと、
テープ状で外面側に粘着層を向け、ロール状に巻回された粘着部材と、を備え、
前記粘着部材は、前記粘着層を前記エアフィルタの表面に当接しながら巻取ることにより、前記エアフィルタの前記表面に吸着した前記塵埃を前記粘着層に付着させることを特徴とするプロジェクタ。
【請求項２】
請求項１に記載のプロジェクタであって、
前記粘着部材の前記粘着層と、前記エアフィルタの前記表面とが当接するように付勢する付勢部材を備えていることを特徴とするプロジェクタ。
【請求項３】
請求項１または請求項２に記載のプロジェクタであって、
前記粘着部材を巻取らせる操作部を備えていることを特徴とするプロジェクタ。
【請求項４】
請求項１または請求項２に記載のプロジェクタであって、
前記粘着部材を巻取らせる駆動部を備えていることを特徴とするプロジェクタ。
【請求項５】
請求項４に記載のプロジェクタであって、
前記エアフィルタを介して導入される前記外気の風量を検出し、対応するデータを出力する検出部と、
前記検出部から出力された前記データに基づき、前記エアフィルタの目詰まりを判定し、前記エアフィルタの目詰まりと判定した場合には、前記駆動部を駆動させる粘着部材制御部と、を備えていることを特徴とするプロジェクタ。
【請求項６】
請求項１〜請求項５のいずれか一項に記載のプロジェクタであって、
前記粘着部材は、該粘着部材を収容する粘着部材用筐体を有して粘着部材ユニットとして構成され、
前記粘着部材ユニットは、前記外装筐体に対して挿脱可能に構成されていることを特徴とするプロジェクタ。
【請求項７】
請求項１〜請求項６のいずれか一項に記載のプロジェクタであって、
前記エアフィルタの表面側および内面側の少なくとも一方には、前記粘着部材の当接による前記エアフィルタの変形を抑制する保護部が構成されていることを特徴とするプロジェクタ。
【発明の詳細な説明】
【技術分野】
【０００１】
本発明は、光源装置と、光源装置から射出された光束を画像情報に応じて変調して光学像を形成する光変調装置と、光学像を投写する投写光学装置と、光源装置、光変調装置、および投写光学装置を内部に収容し、冷却用の空気として外気を内部に導入する開口部が形成された外装筐体と、を有するプロジェクタに関する。
【背景技術】
【０００２】
従来、光源装置から射出された光束を画像情報に応じて変調して光学像を形成し、光学像をスクリーンなどに投写するプロジェクタが知られている。このようなプロジェクタは、駆動時に、プロジェクタを構成する電子部品、および光源装置や光変調装置を含む光学部品などが発熱する。そこで、プロジェクタに冷却ファンを備えて、プロジェクタ外部から外気を導入し、発熱する電子部品および光学部品を適正な温度となるように冷却している。
【０００３】
また、導入される外気には塵埃が含まれ、この塵埃が光変調装置などの光学部品に付着した場合には輝度の低下や画質の低下に繋がるため、プロジェクタの外装筐体に形成する開口部にエアフィルタを設置して、この塵埃のプロジェクタ内部への侵入を防止している。しかし、エアフィルタは、外気に含まれた塵埃を徐々に吸着し続けることにより、除塵性能が低下してしまう。除塵性能が低下した状態でプロジェクタを使用した場合には、外気をプロジェクタ内部に導入しづらくなり、内部温度の上昇と光学部品の品質劣化に繋がってしまう。そのため、プロジェクタには、ユーザに対して定期的に、エアフィルタの清掃や交換を促すメッセージを表示する機能などが備わっている。
【０００４】
しかし、エアフィルタの清掃や交換はユーザにとって面倒なことであり、忘れがちになる。特に、プロジェクタを天井に設置して使用している状態では、エアフィルタの清掃や交換の作業は高所での作業となるため、労力が必要であると共に危険性を伴うことにもなる。
【０００５】
このような状況に対して、特許文献１では、巻取り可能な帯状の形状をなす防塵用フィルタを、筐体に備える吸気口よりも大きく設定し、その吸気口に対して移動させるアクチュエーターを備えた投写型画像表示装置が開示されている。これにより、塵埃が防塵用フィルタに吸着した場合には、アクチュエーターにより防塵用フィルタを移動させ、塵埃を吸着していない領域を吸気口に隣接させている。
【０００６】
【特許文献１】特開平６−５９２４７号公報
【発明の開示】
【発明が解決しようとする課題】
【０００７】
しかし、特許文献１に記載の投写型画像表示装置では、防塵用フィルタを巻取るため、防塵用フィルタの長さを初期的に長く設定し、巻回しておく必要があることや、設定した長さに達した場合には、防塵用フィルタを交換することになる。なお、防塵用フィルタ（エアフィルタ）は、現状では高コストであることなどを考慮して、エアフィルタを長くせずに清掃が行なえる構造や、また、エアフィルタの清掃を行なうための新たな構造が要望されていた。
【課題を解決するための手段】
【０００８】
本発明は、上述した課題の少なくとも一部を解決するためになされたものであり、以下の形態または適用例として実現することが可能である。
【０００９】
（適用例１）本適用例に係るプロジェクタは、光源装置と、光源装置から射出された光束を画像情報に応じて変調して光学像を形成する光変調装置と、光学像を投写する投写光学装置と、光源装置、光変調装置、および投写光学装置を内部に収容し、冷却用に外気を内部に導入する開口部が形成された外装筐体と、を有するプロジェクタであって、開口部から導入される外気に含まれる塵埃を除去し、シート状で回動可能にかけ渡されたエアフィルタと、テープ状で外面側に粘着層を向け、ロール状に巻回された粘着部材と、を備え、粘着部材は、粘着層をエアフィルタの表面に当接しながら巻取ることにより、エアフィルタの表面に吸着した塵埃を粘着層に付着させることを特徴とする。
【００１０】
上記プロジェクタでは、外気に含まれる塵埃を除去するエアフィルタが、シート状で回動可能にかけ渡されている。また、粘着部材が、テープ状で外面側に粘着層を向けてロール状に巻回されている。このような粘着部材で、粘着層をエアフィルタの面に当接しながら巻取ることにより、エアフィルタは粘着部材の巻取りの動作に従動して回転する。この動作により、エアフィルタの表面に吸着した塵埃は、粘着部材の粘着層に付着して巻取られることになる。これにより、エアフィルタの表面に吸着した塵埃を除去（清掃）することができ、エアフィルタを繰返し使用できる新たな構造を実現できる。なお、エアフィルタの長さは、かけ渡す長さでよいため、部品コストを抑えることができる。
【００１１】
（適用例２）上記のプロジェクタであって、粘着部材の粘着層と、エアフィルタの表面とが当接するように付勢する付勢部材を備えていることが好ましい。
【００１２】
上記プロジェクタでは、粘着部材を巻取る場合、粘着層とエアフィルタの表面とが付勢部材により当接することにより、相互に押圧し合う。そのため、粘着部材の巻取りの動作に従動させてエアフィルタを安定して回動させることができ、エアフィルタの表面に吸着した塵埃を粘着層側に確実に付着させることができる。
【００１３】
（適用例３）上記のプロジェクタであって、粘着部材を巻取らせる操作部を備えていることが好ましい。これにより、操作部を利用して粘着部材を容易に巻取ることができる。
【００１４】
（適用例４）上記のプロジェクタであって、粘着部材を巻取らせる駆動部を備えていることが好ましい。これにより、駆動部を利用して粘着部材を容易に巻取ることができる。
【００１５】
（適用例５）上記のプロジェクタであって、エアフィルタを介して導入される外気の風量を検出し、対応するデータを出力する検出部と、検出部から出力されたデータに基づき、エアフィルタの目詰まりを判定し、エアフィルタの目詰まりと判定した場合には、駆動部を駆動させる粘着部材制御部と、を備えていることが好ましい。
【００１６】
上記プロジェクタでは、検出部が、導入される外気の風量を検出し、粘着部材制御部は、その風量のデータに基づいてエアフィルタの目詰まりを判定する。そして、粘着部材制御部は、エアフィルタの目詰まりであると判定した場合には、駆動部を駆動させる。これにより、エアフィルタの目詰まりを効率的に判定でき、また、エアフィルタに目詰まりが発生した場合には、ユーザが操作を行なわなくても、エアフィルタの塵埃の除去をプロジェクタが行なうことができる。
【００１７】
（適用例６）上記のプロジェクタであって、粘着部材は、粘着部材を収容する粘着部材用筐体を有して粘着部材ユニットとして構成され、粘着部材ユニットは、外装筐体に対して挿脱可能に構成されていることが好ましい。
【００１８】
上記プロジェクタでは、粘着部材ユニットが、粘着部材と、粘着部材を収容する粘着部材用筐体を有して構成され、また、粘着部材ユニットは外装筐体に対して挿脱可能に構成されている。従って、エアフィルタの塵埃を付着して粘着部材が最後まで巻取られた場合には、この粘着部材ユニットを外装筐体から取り外して、新しい粘着部材ユニットを差し込むことにより、使用済みの粘着部材を新しい未使用の粘着部材に交換して、エアフィルタの塵埃を除去することができる。
【００１９】
（適用例７）上記のプロジェクタであって、エアフィルタの表面側および内面側の少なくとも一方には、粘着部材の当接によるエアフィルタの変形を抑制する保護部が構成されていることが好ましい。
【００２０】
上記プロジェクタでは、エアフィルタの表面側および内面側の少なくとも一方に形成される保護部が、粘着部材の粘着層とエアフィルタの表面との当接による、エアフィルタの表面の変形を抑制するため、エアフィルタの除塵性能を維持することができ、また、粘着部材の巻取り動作を安定して行なえる。
【発明を実施するための最良の形態】
【００２１】
以下、実施形態を図面に基づいて説明する。
（第１実施形態）
【００２２】
図１は、第１実施形態に係るプロジェクタの構成ブロック図である。図１を参照して、プロジェクタ１の構成に関して説明する。
【００２３】
プロジェクタ１の光学系３０の構成に関して簡潔に説明する。
本実施形態のプロジェクタ１は、光源装置（光源ランプ３１）、光変調装置（液晶パネル３５）、投写光学装置（投写レンズ３９）などから構成されている。そして、光源ランプ３１から射出された光束を、画像情報に応じて液晶パネル３５で変調して光学像を形成し、その光学像を投写レンズ３９を介し、カラー画像として、投写対象面としてのスクリーン１００などに投写するものである。他の光学部品は図示を省略している。
【００２４】
プロジェクタ１の回路系の構成に関して説明する。
本実施形態のプロジェクタ１は、制御部１０、Ａ／Ｄコンバータ１１、ビデオデコーダ１２、画像処理部１３、画像補正部１４、ＯＳＤ処理部１５、液晶パネル駆動部１６、ランプ駆動部１７、リモコン受光部１８、入力スイッチ部１９、キー入力処理部２０、電源部２１などから構成される。また、プロジェクタ１は、冷却制御部４０、内部温度検出部４１、冷却ファン駆動部４２、光源冷却ファン４３、液晶パネル冷却ファン４４、排気ファン４５などから構成される。
【００２５】
また、プロジェクタ１は、粘着部材制御部７０、検出部としての風量検出部７１、粘着部材駆動部７２、付勢部材７３、エアフィルタユニット８０、粘着部材ユニット８５などから構成される。また、エアフィルタユニット８０は、エアフィルタ８１、第１コア８２、第２コア８３、エアフィルタ用筐体８４（図示省略）などから構成される。粘着部材ユニット８５は、粘着部材８６、巻取りコア８７、繰出しコア８８、粘着部材用筐体８９などから構成される。
【００２６】
そして、プロジェクタ１は、制御部１０により統括制御されている。制御部１０は、図示省略するＣＰＵ（Central Processing Unit）で構成される。このＣＰＵは、ＲＯＭ（Read Only Memory）およびＲＡＭ（Random Access Memory）を有して構成される。なお、上述した構成部や光学系３０は、プロジェクタ１の外装を構成する外装筐体５の内部に収容されている。
【００２７】
Ａ／Ｄコンバータ１１は、ＰＣ画像信号入力端子１１ａに入力したＰＣ画像データをデジタル信号に変換し、画像処理部１３に出力する。ビデオデコーダ１２は、ビデオ信号入力端子１２ａに入力した動画像データをデジタル信号に変換した後にＲ・Ｇ・Ｂの色信号に分離し、画像処理部１３に出力する。
【００２８】
画像処理部１３は、制御部１０の指示に基づいて、Ａ／Ｄコンバータ１１またはビデオデコーダ１２から入力したＰＣ画像データまたは動画像データ（以降、ＰＣ画像データまたは動画像データを画像データと称す）に、フレームレート変換およびスケーリング処理などを行なう。そして、画像処理部１３は、フレームレート変換、スケーリング処理などを行なった画像データを画像補正部１４に出力する。
【００２９】
画像補正部１４は、制御部１０の指示に基づいて、入力した画像データの内容に基づいて、画像データにブライトネス調整、コントラスト調整、ガンマ補正処理などを施す。このように加工された画像データは、ＯＳＤ処理部１５に出力される。
【００３０】
ＯＳＤ処理部１５は、制御部１０の指示に基づいて、メニュー画面やメッセージ画面などのＯＳＤ（On Screen Display）画像を、画像補正部１４から入力される画像データに重畳する処理を行なう。なお、制御部１０からＯＳＤ画像を重畳する旨の指示がない場合には、ＯＳＤ処理部１５は、画像補正部１４から出力される画像データを、そのまま投写用映像信号として液晶パネル駆動部１６に出力する。
【００３１】
液晶パネル駆動部１６は、ＯＳＤ処理部１５から入力した投写用映像信号をそれぞれの光変調装置としての液晶パネル３５（本実施形態では、３つの透過型の液晶パネル３５を用いている）に出力しそれぞれ駆動する。ランプ駆動部１７は、制御部１０の制御信号により、光源ランプ３１の点灯・消灯などの動作を実行させる。
【００３２】
リモコン受光部１８は、リモコン（リモートコントローラ）８から出力されるリモート制御信号を受信し、キー入力処理部２０に出力する。キー入力処理部２０は、入力したリモート制御信号をデジタルコードデータに変換して制御部１０に出力する。
【００３３】
入力スイッチ部１９は、プロジェクタ１の外面に設置され、例えば押ボタン式のキースイッチを有しており、キースイッチを押下すると、押下されたキースイッチに応じて制御信号をキー入力処理部２０に出力する。キー入力処理部２０は、同様に、入力した制御信号をデジタルコードデータに変換して制御部１０に出力する。
【００３４】
なお、制御部１０は、入力されたデジタルコードデータに対する制御信号を制御内容に応じて、画像処理部１３、画像補正部１４、ＯＳＤ処理部１５、ランプ駆動部１７、冷却制御部４０、および粘着部材制御部７０などに出力することにより、ユーザの所望する動作を実行させる。
【００３５】
また、電源部２１は、プロジェクタ１の外部の商用電源などから電源ケーブル（図示省略）を介して交流電力を導き、内蔵するＡＣ／ＤＣ変換部（図示省略）で変圧・整流・平滑などの処理を行ない、安定化させた直流電圧をプロジェクタ１を構成する各部に供給する。
【００３６】
内部温度検出部４１は、サーミスタで構成されている。内部温度検出部４１は、光源ランプ３１の近傍および液晶パネル３５の近傍にそれぞれ１つ設置され、光源ランプ３１の近傍および液晶パネル３５の近傍の温度を、光源ランプ温度、液晶パネル温度として、代用して検出する。
【００３７】
冷却制御部４０は、プロジェクタ１内部の冷却動作に関する制御を行なっている。そして、冷却ファン駆動部４２は、冷却制御部４０からの指示により、３つの冷却用のファンとなる光源冷却ファン４３、液晶パネル冷却ファン４４、および排気ファン４５に対し、それぞれ駆動電圧を出力して各ファンを駆動する。なお、光源冷却ファン４３、液晶パネル冷却ファン４４は、外装筐体５に設置される開口部としての吸気口６から、後述するエアフィルタユニット８０を介して外装筐体５外部の外気を吸気し、光源冷却ファン４３は光源ランプ３１に向けて送風し、液晶パネル冷却ファン４４は液晶パネル３５に向けて送風することにより、光源ランプ３１や液晶パネル３５で発生する熱を冷却している。
【００３８】
詳細には、冷却制御部４０は、内部温度検出部４１で検出された光源ランプ温度および液晶パネル温度と、初期的に設定されるそれぞれの所定の温度とに基づいて比較判断し、光源ランプ温度および液晶パネル温度が適正な温度範囲内となるように制御する。そして、冷却制御部４０は、初期的に設定される適正な温度範囲より高くなったと判断した場合には、冷却ファン駆動部４２を駆動し、対応する光源冷却ファン４３、液晶パネル冷却ファン４４の駆動電圧の制御を行ない、高くなった光源ランプ温度または液晶パネル温度を適正な温度範囲内に入れる。なお、冷却制御部４０は、制御部１０の一部の機能として構成されていてもよい。
【００３９】
また、排気ファン４５は、同様に冷却制御部４０の指示により、冷却ファン駆動部４２に駆動され、光源冷却ファン４３および液晶パネル冷却ファン４４の冷却動作により外装筐体５内部の温まった空気を、外装筐体５外部に排気口７を介して排気している。
【００４０】
図２は、エアフィルタユニットおよび粘着部材ユニットの要部を示す概略斜視図である。図１、図２を参照して、本実施形態でのエアフィルタユニット８０および粘着部材ユニット８５の構成および動作を簡潔に説明する。なお、図１、図２に図示する、エアフィルタユニット８０および粘着部材ユニット８５は、簡略化して要部のみを図示しており、詳細は、図３以降で説明する。
【００４１】
図１、図２に示すように、エアフィルタユニット８０は、外装筐体５の側面に設置された吸気口６の内面側近傍に設置されている。そして、光源冷却ファン４３および液晶パネル冷却ファン４４の駆動により、吸気口６を介して導入される外気に対し、この導入された外気に含まれる塵埃をエアフィルタ８１に吸着することで除去している。
【００４２】
また、エアフィルタユニット８０は、円柱状の第１コア８２と第２コア８３との円柱外面に、シート状のエアフィルタ８１を、所定の張力を有して、かけ渡す形態（ループ状の形態）で構成されている。なお、第１コア８２、第２コア８３は、後述するエアフィルタ用筐体８４（図３参照）の所定の位置で回動自在に支持されている。
【００４３】
また、エアフィルタ８１は、エアフィルタ本体８１１と、エアフィルタ本体８１１の外面側の面に網目状に形成された保護部としての保護部材８１２とで構成されている。エアフィルタ本体８１１は、本実施形態では、プリーツ加工を施していない単板式の濾材を用いている。また、保護部材８１２は、合成樹脂によりエアフィルタ本体８１１に一体的に成形されている。
【００４４】
粘着部材ユニット８５は、一端が開口された箱状の粘着部材用筐体８９内の所定の位置に、円柱状の巻取りコア８７と繰出しコア８８とが設置されている。また、粘着部材８６は、粘着層と基材が積層されたテープ状の形態をなしている。そして、粘着部材８６は、巻取りコア８７の円柱外面の一端に粘着部材８６の先端部が固定され、繰出しコア８８の円柱外面の一端に終端部が固定され、粘着部材８６の他のテープ領域は全て繰出しコア８８にロール状に巻回されている。この際、粘着部材８６の粘着層が外面側に露出する形態となっている。
【００４５】
そして、巻取りコア８７と繰出しコア８８とは巻取り可能に構成されている。詳細には、巻取りコア８７を図２に示すように矢印Ａ方向に回転させた場合、粘着部材８６は巻取りコア８７の回転により巻取りコア８７側に引っ張られる。この動作に従動して、繰出しコア８８が矢印Ｂ方向に回転を開始する。このような動作により、繰出しコア８８に巻回されている粘着部材８６は巻取りコア８７に巻取られる。
【００４６】
また、本実施形態では、粘着部材ユニット８５は、エアフィルタユニット８０と略直列に並んだ形態で設置されている。そして、図１に示すように付勢部材７３がエアフィルタユニット８０の図示省略するエアフィルタ用筐体８４と外装筐体５とに架設されることによりエアフィルタユニット８０の第１コア８２側が粘着部材ユニット８５の繰出しコア８８側と相互に押圧し合う形態となっている。これにより、繰出しコア８８に巻回された粘着部材８６の粘着層が、エアフィルタユニット８０の第１コア８２にかけ渡されたエアフィルタ８１の表面と当接して互いに押圧することになる。
【００４７】
なお、図１に示すように、粘着部材駆動部７２が、粘着部材ユニット８５の巻取りコア８７を回転させる駆動を行なっている。また、その粘着部材駆動部７２は、粘着部材制御部７０により駆動を制御されている。また、風量検出部７１は、風量センサで構成されている。そして、風量検出部７１は、エアフィルタユニット８０の近傍に設置され、エアフィルタ８１を介して導入される外気の風量を検出している。そして、風量検出部７１は、検出した風量に対応したデータ（風量データ）を粘着部材制御部７０に出力する。
【００４８】
なお、本実施形態の粘着部材制御部７０は、風量検出部７１から出力された風量データに基づき、エアフィルタ８１の目詰まりを判定する判定部として動作する。具体的には、粘着部材制御部７０は、その風量データの値と初期的に設定される風量の所定値とを比較することにより、風量データの値が所定値に対して少ない場合に、エアフィルタ８１の目詰まりと判定する。そして、エアフィルタ８１の目詰まりと判定した場合、粘着部材制御部７０は、駆動部としての粘着部材駆動部７２に対して、粘着部材ユニット８５の巻取りコア８７を回転させるための指示信号を出力する。粘着部材駆動部７２は、粘着部材制御部７０からの信号を受け、巻取りコア８７を回転させる。
【００４９】
巻取りコア８７が回転することにより、巻取りコア８７の回転に従動し、繰出しコア８８が回転することで、粘着部材８６が繰出しコア８８から繰出されて巻取りコア８７に巻取られる。そして、繰出しコア８８側の粘着部材８６に当接するエアフィルタユニット８０のエアフィルタ８１が従動することにより、図２に示すように、第１コア８２が矢印Ｃ方向に回転を開始し、またその回転に従動して第２コア８３が矢印Ｄ方向に回転する。
【００５０】
ここで、エアフィルタ８１は、光源冷却ファン４３や液晶パネル冷却ファン４４が駆動することにより、吸気口６から導入される外気に含まれる塵埃をエアフィルタ８１の表面に吸着する動作を行なう。そして、エアフィルタ８１の表面が、繰出しコア８８側の粘着部材８６の粘着層に当接し、粘着部材８６の回転に従動して回転することにより、エアフィルタ８１に吸着した塵埃が粘着部材８６の粘着層に付着することになる。
【００５１】
この動作を継続することにより、エアフィルタ８１に吸着した塵埃が粘着部材８６の粘着層に付着し、塵埃が付着した粘着部材８６が巻取りコア８７に巻取られていくことになる。なお、塵埃を粘着部材８６に付着させて回転を継続することにより、エアフィルタ８１は、吸着した塵埃が除去されて清浄化される。
【００５２】
図３は、エアフィルタユニット、粘着部材ユニット、および駆動部の構造を示す図であり、図３（ａ）は、平面図を示し、図３（ｂ）は、平面図におけるＡ−Ａ部の断面図を示し、図３（ｃ）は、平面図におけるＢ−Ｂ部の断面図を示す。図４は、図３におけるＣ−Ｃ部の断面図である。図３、図４を参照して、エアフィルタユニット８０、粘着部材ユニット８５、およびギヤ駆動部７２Ａの構造および動作を説明する。
【００５３】
エアフィルタユニット８０は、上述したように、エアフィルタ８１、第１コア８２、第２コア８３、エアフィルタ用筐体８４とを有して構成されている。エアフィルタ用筐体８４は、第１コア８２、第２コア８３を所定の位置で回動自在に支持するものである。そして、エアフィルタ用筐体８４は、図３（ａ）、図３（ｂ）、図４に示すように、上筐体８４１と下筐体８４２と双方を固定する固定筐体（図示省略）とで構成されている。上筐体８４１および下筐体８４２には、上係合部８４１２および下係合部８４２２が吸気口６側に向かって延設されており、その上係合部８４１２および下係合部８４２２の端部には、それぞれ上方向、下方向に向かってそれぞれ折り曲げられた上係合片８４１２ａおよび下係合片８４２２ａが形成されている。
【００５４】
第１コア８２は、円柱状でエアフィルタ８１をかけ渡す第１コア本体８２１と第１コア本体８２１の両端部に延出する第１コア用軸８２２とで構成されている。第２コア８３も、同様に、円柱状でエアフィルタ８１をかけ渡す第２コア本体８３１と第２コア本体８３１の両端部に延出する第２コア用軸８３２とで構成されている。
【００５５】
そして、エアフィルタユニット８０は、シート状でループしたエアフィルタ８１を、第１コア本体８２１と第２コア本体８３１の円柱状の外面に当て、エアフィルタ用筐体８４の上筐体本体８４１１と下筐体本体８４２１の両端部側の所定の位置に、第１コア用軸８２２と第２コア用軸８３２を差し込むことで組立てられている。エアフィルタ８１は、第１コア８２と第２コア８３とにかけ渡す形態で、所定の張力を有して設置される。また、第１コア８２、第２コア８３は、所定の位置で回動自在となるため、エアフィルタ８１も従動して回動自在となる。
【００５６】
なお、図３（ａ）、図４に示すように、外装筐体５の吸気口６の上下の近傍の内面側には、凹部５１１を有する案内部５１と、同じく凹部５２１を有する案内部５２とが、吸気口６の開口幅と同程度に渡ってそれぞれ構成されている。そして、エアフィルタユニット８０は、上筐体８４１の上係合片８４１２ａを案内部５１の凹部５１１に係合させ、下筐体８４２の下係合片８４２２ａを案内部５２の凹部５２１に係合させる。これにより、エアフィルタユニット８０は、案内部５１，５２の凹部５１１，５２１に沿ってスライド自在となっている。
【００５７】
なお、エアフィルタユニット８０は、エアフィルタ用筐体８４の下筐体本体８４２１の所定の部位と、外装筐体５に設置される後述するカバー部材９の近傍の部位との間に付勢部材７３が架設されている。この付勢部材７３は、本実施形態では、引張りコイルばねで構成されている。この付勢部材７３により、エアフィルタユニット８０は、粘着部材ユニット８５の方向に引っ張られる状態となる。なお、粘着部材ユニット８５が挿入されていない場合には、エアフィルタユニット８０は、付勢部材７３により、粘着部材ユニット８５の方向で、所定の位置まで引っ張られて停止している。
【００５８】
なお、図４に示すように、プロジェクタ１の外部から吸気口６を介して外気（白抜き矢印で示す）が導入された場合、外気は、かけ渡されたことにより二重となるエアフィルタ８１を通過してプロジェクタ１の内部に導入される。また、導入された外気は、本実施形態では、エアフィルタユニット８０の後方に備える図示省略するダクトの内部を流動して、光源冷却ファン４３および液晶パネル冷却ファン４４に流入する。なお、外気を導入する際、外気に含まれる塵埃は、エアフィルタユニット８０の吸気口６側のエアフィルタ８１に吸着される。
【００５９】
また、本実施形態のエアフィルタ８１は、二重となっているため、吸気口６側のエアフィルタ８１の領域の表面で塵埃を吸着し、また、吸気口６側のエアフィルタ８１の領域の表面と対向するエアフィルタ８１の領域の表面で、吸気口６側のエアフィルタ８１の領域の表面を通過した塵埃を再び吸着することができる。本実施形態でのエアフィルタ８１は、上述したように、単板式の濾材を用いているが、プリーツ加工を施した濾材と略同様の除塵効果が期待できる。
【００６０】
粘着部材ユニット８５は、上述したように、粘着部材８６、巻取りコア８７、繰出しコア８８、粘着部材用筐体８９などから構成され、エアフィルタ８１に吸着した塵埃を粘着部材８６の粘着層に付着させながら巻取っていくものである。巻取りコア８７は、円柱状でその外面の一端に粘着部材８６の先端部を固定する巻取りコア本体８７１と巻取りコア本体８７１の両端部に延出する巻取りコア用軸８７２とで構成されている。繰出しコア８８は、円柱状でその外面の一端に粘着部材８６の終端部が固定され、粘着部材８６の他のテープ領域を全て巻回する繰出しコア本体８８１と繰出しコア本体８８１の両端部に延出する繰出しコア用軸８８２とで構成されている。
【００６１】
そして、粘着部材ユニット８５は、粘着部材用筐体８９の内部の上下方向の所定の位置に、粘着部材８６の先端部を固定した巻取りコア８７の巻取りコア用軸８７２を差し込み、開口側の上下方向の所定の位置に、粘着部材８６が巻回された繰出しコア８８の繰出しコア用軸８８２を差し込むことで組立てられている。また、巻取りコア８７の粘着部材ユニット８５から上方に延出した巻取りコア用軸８７２には、第３ギヤ８７３が固定されている。
【００６２】
なお、この粘着部材ユニット８５は、外装筐体５に開閉自在に設置されるカバー部材９を介して、外装筐体５に対して挿脱可能に構成されている。従って、粘着部材ユニット８５は、カバー部材９を開放して、外装筐体５内部に設置する図示省略するガイド部材に沿って挿入することにより、所定の位置で固定される。なお、粘着部材ユニット８５を挿入する際、付勢部材７３により、上述したように、所定の位置まで引っ張られて停止しているエアフィルタユニット８０に当接させて、また、付勢部材７３の引張り力に抗して押圧することで、エアフィルタユニット８０自体を移動させながら、挿入することになる。粘着部材ユニット８５を所定の位置に固定した後、カバー部材９を閉塞する。なお、粘着部材ユニット８５を取り外すには、挿入する動作と逆の動作を行なうことで可能となる。
【００６３】
なお、粘着部材ユニット８５を挿入する際、エアフィルタユニット８０と当接する場合、詳細には、粘着部材ユニット８５の繰出しコア８８に巻回される粘着部材８６の粘着層の面と、エアフィルタユニット８０の第１コア８２にかけ渡されたエアフィルタ８１の表面とが当接する。そして、粘着部材ユニット８５を所定の位置に固定した場合、付勢部材７３により、繰出しコア８８に巻回される粘着部材８６の粘着層の面と、第１コア８２にかけ渡されたエアフィルタ８１の表面とが設定された押圧力で互いに押圧することになる。
【００６４】
ここで、粘着部材駆動部７２に関して説明する。
駆動部としての粘着部材駆動部７２は、本実施形態では、ギヤ駆動部７２Ａと、ギヤ駆動部７２Ａを駆動させるための回路部品が実装される図示省略する駆動用回路基板とを有して構成されている。また、ギヤ駆動部７２Ａは、モータ７２１とギヤ部７２２とを有して構成されている。また、モータ７２１は、モータ本体７２１１と、モータ本体７２１１から延出する軸に固定されるモータ側ギヤ７２１２とで構成されている。なお、モータ本体７２１１内部には図示省略する減速ギヤ列が所定の減速比となるように構成され、収容されている。
【００６５】
ギヤ部７２２は、本実施形態では、２枚のギヤを重ねた１つのギヤとして構成されている。詳細には、ギヤ部７２２は、モータ側ギヤ７２１２と噛み合う第１ギヤ７２２１と、粘着部材ユニット８５の第３ギヤ８７３に噛み合う第２ギヤ７２２２とが重なり、共通の軸７２２３を有して構成されている。なお、ギヤ駆動部７２Ａは、粘着部材ユニット８５の近傍で、図示省略する固定枠の所定位置に固定される。
【００６６】
次に、エアフィルタユニット８０、粘着部材ユニット８５、ギヤ駆動部７２Ａに対して、粘着部材制御部７０が、エアフィルタ８１の目詰まりを判定して粘着部材駆動部７２を駆動させた場合の動作を説明する。
【００６７】
粘着部材駆動部７２が駆動した場合、図示省略する駆動用回路基板からギヤ駆動部７２Ａを駆動する電圧が供給される。これにより、モータ７２１のモータ本体７２１１が駆動し、所定の回転数に減速されてモータ側ギヤ７２１２が回転を行なう。本実施形態では、モータ側ギヤ７２１２は、図３（ａ）に示す矢印Ｅ方向に回転を行なう。この回転により、モータ側ギヤ７２１２に噛み合うギヤ部７２２の第１ギヤ７２２１が軸７２２３を回転中心として矢印Ｆ方向に回転を行なう。従って、第２ギヤ７２２２も矢印Ｆ方向に回転を行なう。
【００６８】
そして、第２ギヤ７２２２と噛み合う、粘着部材ユニット８５を構成する巻取りコア８７の巻取りコア用軸８７２に固定される第３ギヤ８７３が、動力を伝達されて矢印Ａ方向に回転を行なう。この第３ギヤ８７３の回転により、上述したように、巻取りコア８７が粘着部材８６を巻取りながら矢印Ａ方向に回転を行なう。それに従動して、繰出しコア８８は、巻回する粘着部材８６を繰出しながら矢印Ｂ方向に回転を行なう。
【００６９】
繰出しコア８８の巻回する粘着部材８６の繰出し（または、巻取りコア８７の粘着部材８６の巻取り）動作に従動して、繰出しコア８８の巻回する粘着部材８６の粘着層の面に押圧力を有して当接しているエアフィルタユニット８０のエアフィルタ８１が矢印Ｃ方向に移動することで、第１コア８２が回転する。この回転に併せて、吸気口６側のエアフィルタ８１に吸着した塵埃が粘着層に付着する。なお、第１コア８２の回転に従動して第２コア８３も回転する。
【００７０】
本実施形態では、粘着部材制御部７０は、エアフィルタ８１が、エアフィルタ８１の吸気口６側の長さ（第１コア８２と第２コア８３との中心間距離程度）を移動できる程度の駆動時間だけモータ７２１を駆動するように制御している。それにより、粘着部材８６は、モータ７２１が駆動する間、エアフィルタ８１に吸着した塵埃を粘着層に付着しながら、巻取りコア８７に巻取られ、エアフィルタ８１の吸気口６側の長さに相当する領域の表面に吸着した塵埃を粘着層の面に付着させて除塵する。この動作により、除塵前に吸気口６側と対向していたエアフィルタ８１の領域の表面が、略吸気口６側の領域の面となる。
【００７１】
なお、図４に示すように、粘着部材８６の粘着層とエアフィルタ８１の表面とが当接する際、実際には、粘着層と、エアフィルタ８１を構成するエアフィルタ本体８１１および保護部材８１２とが当接することになる。そして、エアフィルタ本体８１１に吸着した塵埃を粘着層が付着することになる。
【００７２】
粘着部材制御部７０の制御により、上述した動作を繰り返し、目詰まりの発生したエアフィルタ８１の塵埃を除去して清浄化することになる。なお、エアフィルタ８１の塵埃を付着して粘着部材８６が最後まで巻取られた場合には、上述したように、この粘着部材ユニット８５を外装筐体５から取り外して、新しい粘着部材ユニット８５を挿入（差し込む）ことにより、使用済みの粘着部材８６を新しい未使用の粘着部材８６に交換して、エアフィルタ８１の塵埃を除去して清浄化することができる。
【００７３】
なお、本実施形態では、粘着部材制御部７０での目詰まり判定に拠らずに、ユーザによる所定のスイッチ操作により、エアフィルタ８１の塵埃の除去を行なうことができる。詳細には、図１に示すように、リモコン８や入力スイッチ部１９に設定されるキーを、ユーザが入力することにより、粘着部材制御部７０は、粘着部材駆動部７２を駆動することができる。従って、ユーザは、所望するときに、エアフィルタ８１の塵埃の除去をプロジェクタ１に行なわせることができる。
【００７４】
また、本実施形態では、プロジェクタ１は、粘着部材ユニット８５が、エアフィルタ８１の塵埃を付着して粘着部材８６を最後まで巻取った場合には、図示省略するセンサにより検出し、制御部１０の指示により、粘着部材ユニット８５の交換を促す旨の表示をＯＳＤ処理部１５を介して、投写画像などに重畳して表示させることも行なう。従って、ユーザは、粘着部材ユニット８５の交換時期を知ることができる。
【００７５】
上述した、実施形態によれば以下の効果が得られる。
（１）本実施形態のプロジェクタ１は、外気に含まれる塵埃を除去するエアフィルタ８１がシート状で回動可能に第１コア８２と第２コア８３とにかけ渡されたエアフィルタユニット８０と、粘着部材８６がテープ状で外面側に粘着層を向けて巻取りコア８７と繰出しコア８８とに巻取り可能に巻回される粘着部材ユニット８５とで構成されている。そして、このような粘着部材ユニット８５で、粘着層をエアフィルタ８１の表面に当接しながら巻取ることにより、エアフィルタ８１は粘着部材８６の巻取りの動作に従動して回転し、エアフィルタ８１の表面に吸着した塵埃が粘着部材８６の粘着層に付着して巻取られる。これにより、エアフィルタ８１の表面に吸着した塵埃を除去（清掃）することができ、エアフィルタ８１を繰返し使用できる構造を実現している。なお、エアフィルタ８１の長さは、かけ渡す長さでよいため、部品コストを抑えることができる。
【００７６】
（２）本実施形態のプロジェクタ１は、粘着部材８６を巻取る場合、粘着層とエアフィルタ８１の表面とが付勢部材７３により押圧し合うことで、粘着部材８６の巻取りの動作に従動させてエアフィルタ８１を安定して回動させることができ、また、繰出しコア８８に巻回される粘着部材８６が繰出し終わるまで安定して付勢することができるため、エアフィルタ８１の表面に吸着した塵埃を粘着層側に確実に付着させることができる。
【００７７】
（３）本実施形態のプロジェクタ１は、粘着部材８６を巻取らせるギヤ駆動部７２Ａにより、ギヤ駆動部７２Ａを利用して粘着部材８６を容易に巻取ることができる。従って、ユーザがエアフィルタ８１の塵埃の除去作業を行なう必要が無くなる。特に、プロジェクタ１を天井などの高所に設置して使用している場合には、ユーザの高所作業が不必要となり、作業に伴う危険性が回避される。
【００７８】
（４）本実施形態のプロジェクタ１は、風量検出部７１で、エアフィルタ８１を介して導入される外気の風量を検出し、対応する風量データを出力する。そして、粘着部材制御部７０で、エアフィルタ８１の目詰まりを判定（風量データが所定値より少ない場合にはエアフィルタ８１の目詰まりと判定）し、粘着部材駆動部７２（ギヤ駆動部７２Ａを含む）を駆動させる。これにより、エアフィルタ８１の目詰まりを効率的に判定でき、また、エアフィルタ８１に目詰まりが発生した場合には、ユーザが操作を行なわなくても、エアフィルタ８１の塵埃の除去をプロジェクタ１が行なうことができる。
【００７９】
（５）本実施形態のプロジェクタ１は、粘着部材８６、巻取りコア８７、繰出しコア８８、および粘着部材８６を収容する粘着部材用筐体８９により粘着部材ユニット８５として構成されている。そして、この粘着部材ユニット８５は、外装筐体５に対して挿脱可能となっている。従って、エアフィルタ８１の塵埃を付着して粘着部材８６が最後まで巻取られた場合には、この粘着部材ユニット８５を外装筐体５から取り外して、新しい粘着部材ユニット８５を挿入することにより、使用済みの粘着部材８６を新しい未使用の粘着部材８６に交換して、エアフィルタ８１の塵埃を除去することができる。
【００８０】
（６）本実施形態のプロジェクタ１は、エアフィルタ本体８１１の表面側に形成される保護部材８１２が、粘着部材８６の粘着層とエアフィルタ本体８１１の表面との当接により、エアフィルタ本体８１１が粘着層により粘着されながら回転しても、エアフィルタ本体８１１の表面の変形を抑制するため、エアフィルタ８１の除塵性能を維持することができ、また、粘着部材８６の巻取り動作を安定して行なえる。
（第２実施形態）
【００８１】
図５は、第２実施形態に係るプロジェクタの構成ブロック図である。図６は、操作部の構成を示す断面図である。図５、図６を参照して、プロジェクタ２の構成、および操作部７５の構成および動作に関して説明する。
【００８２】
図５に示すように、本実施形態のプロジェクタ２は、前記第１実施形態のプロジェクタ１を構成する粘着部材制御部７０および粘着部材駆動部７２を除いた構成となっている。そして、プロジェクタ２は、新たに、粘着部材制御部７６と操作部７５とを有する構成となっている。その他の構成に関しては、第１実施形態と同様に構成されている。従って、同様の構成部に関しては、同様の符号を付記している。また、同様の構成部に関しては説明を省略し、異なる構成部となる粘着部材制御部７６と操作部７５とに関して説明を行なう。
【００８３】
本実施形態の粘着部材制御部７６は、第１実施形態での粘着部材制御部７０と同様に、風量検出部７１からの風量データに基づいてエアフィルタ８１の目詰まりを判定する。しかし、第１実施形態と異なる動作は、粘着部材制御部７６は、エアフィルタ８１の目詰まりと判定した場合に、エアフィルタ８１の清掃を促す旨の表示を投写画像などに重畳して表示させることを制御部１０に指示することである。これにより、制御部１０は、ＯＳＤ処理部１５に指示して、エアフィルタ８１の清掃を促す旨の表示を投写画像などに重畳して表示させる。
【００８４】
一方、本実施形態の操作部７５は、手動で粘着部材ユニット８５の巻取りコア８７を回転させて粘着部材８６を巻取るものである。図６に示すように、操作部７５は、プロジェクタ２の上面側の外装筐体５を貫通させた形態で設置されている。そして、操作部７５は、外装筐体５の上面に突出する略円錐柱状の握り部７５１と、握り部７５１に対向して外装筐体５の内面に位置する第４ギヤ７５３と、第４ギヤ７５３と一体で形成し、握り部７５１と嵌合して、第４ギヤ７５３と握り部７５１とを固定する略円柱状の支軸７５２とを有して構成されている。
【００８５】
このような構成により、操作部７５は、外装筐体５を挟んで回動自在に設置されている。また、操作部７５の第４ギヤ７５３は、粘着部材ユニット８５の巻取りコア８７を構成する第３ギヤ８７３と噛み合って設置される。
【００８６】
このような操作部７５において、握り部７５１を回転することにより、第４ギヤ７５３が回転する。そして、第４ギヤ７５３が回転することにより、第４ギヤ７５３に噛み合う粘着部材ユニット８５の第３ギヤ８７３が回転することになる。そして、第３ギヤ８７３が回転することにより、粘着部材ユニット８５の巻取りコア８７が回転し粘着部材８６を巻取ることになる。なお、以降の粘着部材ユニット８５およびエアフィルタユニット８０の動作は、第１実施形態での動作と同様となるため、説明は省略する。また、本実施形態の粘着部材ユニット８５は、第１実施形態と同様に、外装筐体５に対して挿脱可能に構成されている。
【００８７】
従って、ユーザは、投写画像などに重畳して表示される、エアフィルタ８１の清掃を促す旨の表示を確認した場合、操作部７５の握り部７５１を回転することにより、従動して上記動作が行なわれ、第１実施形態と同様に、エアフィルタ８１の表面に吸着した塵埃を除去（清掃）することができる。なお、このような構成により、エアフィルタ８１を繰返し使用できる構造を実現できる。また、エアフィルタ８１の長さは、第１実施形態と同様に、かけ渡す長さでよいため、部品コストを抑えることができる。なお、本実施形態の操作部７５を用いる場合には、操作性の面から、プロジェクタ２を机上面などに載置して使用する場合に、特に効果がある。
【００８８】
また、本実施形態では、第１実施形態と同様に、プロジェクタ２は、粘着部材ユニット８５が、エアフィルタ８１の塵埃を付着して粘着部材８６を最後まで巻取った場合には、図示省略するセンサにより検出し、制御部１０の指示により、粘着部材ユニット８５の交換を促す旨の表示をＯＳＤ処理部１５を介して、投写画像などに重畳して表示させることも行なう。従って、ユーザは、粘着部材ユニット８５の交換時期を知ることができる。
【００８９】
なお、上述した実施形態に限定されず、種々の変更や改良などを加えて実施することが可能である。変形例を以下に述べる。
【００９０】
（変形例１）前記第１、第２実施形態において、エアフィルタ本体８１１の表面に保護部材８１２が網目状に形成されている。しかし、保護部材８１２は、エアフィルタ本体８１１に求められる除塵性能と、許容される変形量とのバランスにより、要／不要を決めることができる。また、保護部材８１２を形成する場合のデザインも網目状に限られず適宜設定することができる。また、エアフィルタ本体８１１の表面側に保護部材８１２を形成しているが、これに限られず、エアフィルタ本体８１１の内面側に保護部材を形成してもよいし、内面側と表面側の両面に形成することでもよい。
【００９１】
（変形例２）前記第１実施形態において、粘着部材駆動部７２は、ギヤ駆動部７２Ａとしてモータ７２１とギヤ部７２２とで構成され、ギヤ部７２２は、２つのギヤ（第１ギヤ７２２１と第２ギヤ７２２２）が重なった構成となっている。しかし、これに限られず、ギヤ輪列は、モータ側ギヤ７２１２を含め、所定の減速比となるように適宜構成することでよい。
【００９２】
（変形例３）前記第１、第２実施形態では、粘着部材ユニット８５の繰出しコア８８に巻回された粘着部材８６に、エアフィルタユニット８０の第１コア８２にかけ渡されたエアフィルタ８１の表面を当接している。しかし、これに限られず、例えば、粘着部材ユニット８５の繰出しコア８８と巻取りコア８７との位置を相互に逆に設置し、巻取りコア８７に巻取る粘着部材８６に、第１コア８２にかけ渡されたエアフィルタ８１の表面を当接させることでもよい。その場合にも、巻取りコア８７を駆動して回転させることにより、エアフィルタ８１に吸着した塵埃を付着させながら巻取ることでよい。
【００９３】
（変形例４）前記第１、第２実施形態では、粘着部材駆動部７２や操作部７５は、粘着部材ユニット８５の巻取りコア８７を回転させて、粘着部材８６を巻取っている。しかし、例えば、粘着部材ユニット８５の繰出しコア８８と巻取りコア８７との位置を相互に逆に設置し、巻取りコア８７の粘着部材８６に、第１コア８２にかけ渡されたエアフィルタ８１の表面を当接させることを前提とした場合には、エアフィルタユニット８０の第１コア８２または第２コア８３を回転させる構成とすることにより、第１コア８２または第２コア８３の回転に粘着部材８６を従動させることで、巻取りコア８７に粘着部材８６を巻取らせることでもよい。
【００９４】
（変形例５）前記第１実施形態では、粘着部材駆動部７２は、粘着部材ユニット８５の巻取りコア８７を回転させて、粘着部材８６を巻取っている。しかし、これに追加して、エアフィルタユニット８０の第１コア８２または第２コア８３を回転させる駆動部を追加することで、巻取りコア８７の回転と同期を取りながら回転させることにより、粘着部材８６を巻取ることでもよい。この構成によると更に安定してエアフィルタ８１を回転させることができ、塵埃の除去も更に安定して行なうことができる。
【００９５】
（変形例６）前記第１、第２実施形態では、付勢部材７３を用いて、粘着部材ユニット８５の繰出しコア８８に巻回された粘着部材８６に、エアフィルタユニット８０の第１コア８２にかけ渡されたエアフィルタ８１の表面を付勢して当接している。しかし、これに限られず、付勢部材７３を用いずに、例えば、粘着部材８６に弾性力を持たせて付勢させることもでき、その場合には、粘着部材ユニット８５をエアフィルタユニット８０に、所定の付勢力が加わるように、それぞれを固定することなどで対応できる。なお、粘着部材８６に弾性力を持たせる場合、粘着部材８６を構成する基材に弾性力を有する部材を採用することなどが望ましい。
【００９６】
（変形例７）前記第１、第２実施形態では、付勢部材７３にコイルばねを用いて、粘着部材ユニット８５の繰出しコア８８に巻回された粘着部材８６に、エアフィルタユニット８０の第１コア８２にかけ渡されたエアフィルタ８１の表面を付勢して当接している。しかし、これに限られず、第１コア８２の第１コア本体８２１の外周面に弾性力を有する部材（例えば、合成ゴム部材や合成スポンジ部材など）を設置し、この部材の弾性力により、粘着部材８６に、第１コア８２にかけ渡されたエアフィルタ８１の表面を付勢して当接させることでもよい。
【００９７】
（変形例８）前記第１、第２実施形態では、付勢部材７３に引張りコイルばねを用いているが、これに限られず、圧縮コイルばねや板状ばねを用いてもよいし、また、弾性力を有する部材（例えば、合成ゴム部材や合成スポンジ部材など）を用いてもよい。なお、それぞれの部材の設置は適宜設定することでよい。
【００９８】
（変形例９）前記第１、第２実施形態のプロジェクタ１，２の光学系３０において、光変調装置としての液晶パネル３５は、透過型の液晶パネルを用いているが、反射型の液晶パネルなど、反射型の光変調装置を用いることも可能である。
【００９９】
（変形例１０）前記第１、第２実施形態のプロジェクタ１，２の光学系３０において、光変調装置としての液晶パネル３５を用いている。しかし、これに限られず、一般に、入射光を画像情報に応じて変調するものであればよく、マイクロミラー型光変調装置などを用いてもよい。なお、マイクロミラー型光変調装置としては、例えば、ＤＭＤ（Digital Micro mirror Device）を用いることができる。
【０１００】
（変形例１１）前記第１、第２実施形態のプロジェクタ１，２の光学系３０において、光変調装置は、赤色光、緑色光、および青色光に対応する３つの液晶パネル３５を用いるいわゆる３板方式を採用しているが、これに限られず、単板方式を採用してもよい。また、コントラストを向上するための液晶パネルを追加して採用してもよい。
【０１０１】
（変形例１２）前記第１、第２実施形態のプロジェクタ１，２は、フロントタイプのプロジェクタとして適用しているが、投写対象面としてのスクリーンを一体で有するリアタイプのプロジェクタにも適用できる。
【図面の簡単な説明】
【０１０２】
【図１】第１実施形態に係るプロジェクタの構成ブロック図。
【図２】エアフィルタユニットおよび粘着部材ユニットの要部を示す概略斜視図。
【図３】エアフィルタユニット、粘着部材ユニット、および駆動部の構造を示す図であり、（ａ）は平面図を示し、（ｂ）は平面図におけるＡ−Ａ部の断面図を示し、（ｃ）は平面図におけるＢ−Ｂ部の断面図。
【図４】図３におけるＣ−Ｃ部の断面図。
【図５】第２実施形態に係るプロジェクタの構成ブロック図。
【図６】操作部の構成を示す断面図。
【符号の説明】
【０１０３】
１，２…プロジェクタ、５…外装筐体、６…吸気口、９…カバー部材、３１…光源ランプ、３５…液晶パネル、３９…投写レンズ、５１，５２…案内部、７０…粘着部材制御部、７１…風量検出部、７２…粘着部材駆動部、７２Ａ…ギヤ駆動部、７３…付勢部材、７５…操作部、８０…エアフィルタユニット、８１…エアフィルタ、８２…第１コア、８３…第２コア、８４…エアフィルタ用筐体、８５…粘着部材ユニット、８６…粘着部材、８７…巻取りコア、８８…繰出しコア、８９…粘着部材用筐体、７２１…モータ、７２２…ギヤ部、８１１…エアフィルタ本体、８１２…保護部材。
【図１】
2009217105.tif 000003
【図２】
2009217105.tif 000004
【図３】
2009217105.tif 000005
【図４】
2009217105.tif 000006
【図５】
2009217105.tif 000007
【図６】
2009217105.tif 000008